(57)【要約】【課題】キャップ本体の容器口部に対する装着形式に関係なく、上蓋の開閉が容易であって、内容液の高温充填に伴う冷却水の注出筒より内側への吸込みを防ぎ、且つ注出筒の外側への冷却水の吸い込みに対しては、冷却水のスムーズな排出、或いは乾燥消失も容易なヒンジキャップを提供する。【解決手段】キャップ本体は外側壁及び注出筒を有し、外側壁の外側に係止突条を内側に弧状面を設け、上蓋は側壁、シール筒及びインナーリングを有し、側壁の内周面に被係止突条を形成して、シール筒下端に傾斜面を有する環状舌片を形成し、係止突条を切り欠いた溝を、ヒンジの中心とその対局の上蓋鍔部とを結ぶ線Ｌ１に対称の位置に２個設けて、上蓋の閉栓時、弧状面が傾斜面を圧接し、シール筒を内方に変位させて係止突条と被係止突条との係止を緩和し、且つ溝によりこの係止を免除して、上蓋の開閉を容易にして、上記の課題を達成する。【選択図】図１
2008239205.tif 000002
【特許請求の範囲】
【請求項１】
キャップ本体と、上蓋とをヒンジにより開閉自在に連結したものであり、
前記キャップ本体は、天面と該天面の周縁から垂下し容器口部に嵌合固定するスカート壁とで構成され、前記天面に、開口予定部及び該開口予定部を囲繞する注出筒を形成すると共に、該注出筒より外側に前記上蓋を閉栓固定する係止突条を外周面に有した外側壁を形成してなり、
前記上蓋は、天板と該天板の周縁から垂下する側壁とで構成され、前記天板に、これか
ら垂下し前記注出筒の内面に当接するインナーリングを形成すると共に、前記側壁の内周
面に、前記外側壁の係止突条と係止する被係止突条を形成してなる、ヒンジキャップにお
いて、
前記上蓋の天板には、側壁とインナーリングとの間から下方に垂下し前記キャップ本体
の外側壁と当接して密封可能なシール筒を有すると共に、前記上蓋の側壁に少なくとも前
記被係止突条を切り欠いてなる溝を前記ヒンジの中心とその対局に位置する前記上蓋の鍔部とを結ぶ線に対して対称の位置に少なくとも２個設けたことを特徴とするヒンジキャップ。
【請求項２】
前記溝の周方向中心部は、前記ヒンジの中心とその対局に位置する前記上蓋の鍔部とを結ぶ線に直交する前記上蓋の中心線から、該中心線に対して鍔部側に３０度までの範囲内に位置することを特徴とする請求項１記載のヒンジキャップ。
【請求項３】
前記溝は、前記上蓋の閉蓋状態において、前記外側壁と当接するシール筒、天板及び側壁によって囲まれた空間と外部とを通気状態に保つことを特徴とする請求項２記載のヒンジキャップ。
【発明の詳細な説明】
【技術分野】
【０００１】
本発明は、容器内に液状内容物を充填したあと上蓋内に浸入した冷却水の除去、或いは乾燥を早め、且つ上蓋の開閉をスムーズにしたヒンジキャップに関し、より詳しくは、側壁におけるヒンジの中心とその対局に位置する上蓋の鍔部とを結ぶ線に対して対称の位置に、側壁の被係止突条を切り欠いてなる水切り溝を、少なくとも２個設けたヒンジキャップに関する。
【背景技術】
【０００２】
ヒンジキャップは、キャップ本体と上蓋とがヒンジにより連結され、その開閉自在性に加えて易開封性も付与して利便性を高めていることから、調味料や天然果汁などの液状内容物を収容する容器に多く使用されている。すなわち、このヒンジキャップは、キャップ本体を容器口部に打栓して液密にすると共に、容易に外れないようにして液密状態を維持し、更に、スコア切裂用タブにより上記易開封性を実現して、上記ヒンジ連結にて開閉自在にしている。また、ヒンジ連結のまま、キャップ本体を容器口部に螺着脱するものもある。
【０００３】
上記のような内容物を充填する場合、製品に対する殺菌処理を施すため、高温充填後に密封された容器に熱水シャワー工程等の殺菌工程を行い、最終的に冷却水により冷ますため、容器内部は無論、キャップ本体と上蓋との間も減圧状態になるから、その間に冷却水を吸い込む現象が発生する虞がある。この吸い込み冷却水は、キャップ本体と上蓋との間であっても衛生的ではなく、消費者に不快感を与える。また、高温充填でなくても、充填時液だれの可能性があるため洗浄を行なう際に洗浄水がキャップ本体と上蓋との間に浸入する虞がある。このような現象を抑える技術として、下記のものが知られている。
【特許文献１】特開２００１−２７０５４０号公報
【０００４】
この特許文献１に記載されたヒンジキャップは、図６、７に示すように、容器口部に装着するキャップ本体ａと上蓋ｂとがヒンジｃにより連結されてなり、このキャップ本体ａの注出筒ｄと頂板部ｅの周縁との間に、上端平面ｆ１および突出部ｆ２からなる環状突起部ｆが形成され、上蓋ｂのスカート部ｇの内面側には、環状突起部ｆとの間に液密に係止可能な係止部ｈが形成されて、この係止部ｈは周状凹部ｈ１および環状水平面ｈ２からなり、その上に、上蓋ｂのスカート部ｇ下端との接触面となるキャップ本体ａの頂板部ｅの周縁ｋには、水排出用切欠ｉが形成されているものである。
【０００５】
そして、キャップ本体ａに上蓋ｂを被せた際、キャップ本体ａの環状突起部ｆの突出部ｆ２は、上蓋ｂの係止部ｈの周状凹部ｈ１と係合し、キャップ本体ａの環状突起部ｆの上端平面ｆ１は、上蓋ｂの係止部ｈの環状水平面ｈ２と密着する。したがって、冷却によりヒンジキャップ内が減圧状態になり、上蓋ｂの天面ｊが容器側に変形したり、上蓋ｂに上から外力が加わっても、上蓋ｂのスカート部ｇが下方にズレることが防止され、キャップ本体ａの環状突起部ｆと上蓋ｂの係止部ｈとの間でもズレが生じず、確実な密閉が保持でき、冷却水を吸い込む現象を阻止できる。一方、上蓋ｂのスカート部ｇ下端とキャップ本体ａの頂板部ｅの周縁ｋとの接触面に溜まった水は、水排出用切欠ｉから速やかに排出される。
【発明の開示】
【発明が解決しようとする課題】
【０００６】
上記特許文献１のヒンジキャップは、キャップ本体ａの環状突起部ｆと上蓋ｂの係止部ｈとが係合密着し、上蓋ｂのスカート部ｇが下方にズレることが防止され、確実な密閉が保持でき、キャップ本体の頂板部周縁より内側のキャップ内空間に冷却水が吸い込む現象を阻止できるというものである。しかしながら、実際に容器の口部に上記ヒンジキャップを打栓すると、キャップ本体ａの環状突起部ｆが内側に倒れ変形する現象があり、その結果、キャップ本体ａの環状突起部ｆの突出部ｆ２と、上蓋ｂの係止部ｈの周状凹部ｈ１との係合が甘くなり易く、その場合、比較的強い減圧状態になると大量の冷却水を吸い込む虞があり、このような状態になると、水排出用切欠ｉから冷却水を完全に排出すること、或いは完全に乾燥消失させることは難しい。かと言ってキャップ本体の環状突起部と上蓋の係止部との係合を強くすれば、冷却水の吸い込み現象は阻止できるが上蓋開封力が高くなってしまう。よって、相反する両者の現象を満足する設計寸法の許容幅は小さいと言える。さらに、ヒンジキャップに限らず樹脂製のキャップは、コストダウンを目的に使用樹脂量を減らす傾向にあるため形状保持性が弱まり、例えば、上蓋ｂを開ける際、図６のスカート部ｇのＡ部が内方（矢線Ｙ）に変形するから、上蓋ｂの係止部ｈとキャップ本体ａの環状突起部ｆとが強く係合して、開けづらくなってしまうという問題がある。
【０００７】
そこで、本発明の目的は、容器口部に対するキャップ本体の装着方式に影響されないで上蓋が開閉し易く、しかも、内容物の高温充填に伴う減圧状態の現出にも係わらずキャップ注出筒より内側への冷却水の吸い込みを防ぎ、且つ注出筒より外側への冷却水の吸い込みに対しては、スムーズな排出、或いは乾燥消失させる事が出来るヒンジキャップを提供することにある。
【課題を解決するための手段】
【０００８】
本発明は、上記目的を達成するために提案されたものであって、下記の構成からなることを特徴とするものである。
すなわち、本発明によれば、キャップ本体と、上蓋とをヒンジにより開閉自在に連結したものであり、前記キャップ本体は、天面と該天面の周縁から垂下し容器口部に嵌合固定するスカート壁とで構成され、前記天面に、開口予定部及び該開口予定部を囲繞する注出筒を形成すると共に、該注出筒より外側に前記上蓋を閉栓固定する係止突条を外周面に有した外側壁を形成してなり、前記上蓋は、天板と該天板の周縁から垂下する側壁とで構成され、前記天板に、これから垂下し前記注出筒の内面に当接するインナーリングを形成すると共に、前記側壁の内周面に、前記外側壁の係止突条と係止する被係止突条を形成してなる、ヒンジキャップにおいて、
前記上蓋の天板には、側壁とインナーリングとの間から下方に垂下し前記キャップ本体の外側壁と当接して密封可能なシール筒を有すると共に、前記上蓋の側壁に少なくとも前記被係止突条を切り欠いてなる溝を前記ヒンジの中心とその対局に位置する前記上蓋の鍔部とを結ぶ線に対して対称の位置に少なくとも２個設けたことを特徴とするヒンジキャップが提供される。
【０００９】
また、本発明によれば、前記溝の周方向中心部は、前記ヒンジの中心とその対局に位置する前記上蓋の鍔部とを結ぶ線に直交する前記上蓋の中心線から、該中心線に対して鍔部側に３０度までの範囲内に位置することを特徴とするヒンジキャップが提供される。
【００１０】
また、本発明によれば、前記溝は、前記上蓋の閉蓋状態において、前記外側壁と当接するシール筒、天板及び側壁によって囲まれた空間と外部とを通気状態に保つことを特徴とするヒンジキャップが提供される。
【発明の効果】
【００１１】
本発明のヒンジキャップは、キャップ本体に上蓋を閉栓した状態で、容器の口部にキャップ本体のスカート壁を嵌合固定すると、外側壁が内側にやや倒れその内周面がシール筒の先端部に圧接して、シール筒を内方に変位させ、且つ、キャップ本体の外側壁の係止突条が内側にやや移動し、上蓋の側壁の被係止突条との係止状態が緩和される。一方、キャップ本体から上蓋を開栓する際、ヒンジの中心とその対局に位置する上蓋の鍔部とを結ぶ線に対して対称位置の側壁が内方に変形するが、その位置の溝が存在することにより、キャップ本体の係止突条と、上蓋の被係止突条との係止状態が解除される。したがって、容器の口部にキャップ本体を打栓する形状であるのに、内容物の高温充填に伴う減圧状態の現出にも係わらず、シール筒の内方変位による反発力により、強く外側壁の内周面がシール筒の先端部に圧接して、冷却水の吸い込みを完全に防ぐことが出来、その上、キャップ本体の係止突条が上蓋の被係止突条との係止状態が緩和され、及びこれらの係止状態が溝により解除される分、上蓋の開閉がし易くなると共に、上蓋の樹脂量も削減出来る効果がある。
【００１２】
また、本発明の請求項２にかかるヒンジキャップは、キャップ本体から上蓋を開栓する際、上蓋の側壁が最も内方に変形する部位に位置した被係止突条に溝があり、その部分のキャップ本体の係止突条と上蓋の被係止突条との係止状態が免除される。したがって、上蓋の開閉が極めてし易くなると共に、上蓋の樹脂量も効率よく削減出来る効果がある。
【００１３】
また、本発明請求項３にかかるヒンジキャップは、上蓋の閉蓋時に、外側壁と当接するシール筒、天板及び側壁によって囲まれた空間に水が浸入しても、外部に通気している溝により、水を排出する。したがって、上記空間に冷却水が浸入しても、外部にこれら浸入水を除去、或いは乾燥消失させる効果がある。
【発明を実施するための最良の形態】
【００１４】
以下に、図面を参照して本発明を実施するための最良の形態を説明する。
【実施例１】
【００１５】
図１は本発明の実施の形態を示すヒンジキャップを容器の口部に打栓した状態の縦断面図、図２は図１のヒンジキャップを９０度回転させた状態の縦断面図、図３は同ヒンジキャップの要部の拡大縦断面図、図４は同ヒンジキャップを開いた状態の平面図、図５は同ヒンジキャップを開いた状態の縦断面図である。
これらの図面において、ヒンジキャップ１は、キャップ本体１０と、上蓋２０とをヒンジ３０により開閉自在に連結したものであり、キャップ本体１０は、天面１１とこの天面１１の周縁から垂下し容器２の口部３に嵌合固定するスカート壁１２とで構成され、天面１１に、開口予定部１３及びこの開口予定部１３を囲繞する注出筒１４を形成すると共に、この注出筒１４より外側に上蓋２０を閉栓固定する係止突条１５ａを外周面に有した外側壁１５を形成してなり、前記上蓋２０は、天板２１とこの天板２１の周縁から垂下する側壁２２とで構成され、この天板２１に、これから垂下し注出筒１４の内面に当接するインナーリング２３を形成すると共に、側壁２２の内周面に、外側壁１５の係止突条１５ａと係止する被係止突条２４を形成してなるものである。
【００１６】
前記ヒンジキャップ１を装着する容器２は、その口部３にキャップ本体１０を打栓あるいは螺着できるものであれば特に限定がなく、どのようなタイプ、材質でも良いが、特に頻繁に内容物を小出しするものに利用して、上蓋２０による開閉が比較的多く行われ、且つ、高温充填後の冷却工程で容器内の減圧による変形が起こらず、最もヒンジキャップに対する影響が大きい容器等に好適に対応出来る。
【００１７】
前記キャップ本体１０は、その天面１１の下に、スカート壁１２及び内筒１６が設けられて嵌合部分１７が形成され、この嵌合部分１７に容器２の口部３をあてがい打栓することで液密にする。更に、既述のとおり、キャップ本体１０に上蓋２０がヒンジ３０を介して連結されているから、上蓋２０はヒンジ３０を中心として回転自在となっている。そして、前記注出筒１４より外側の天面１１上には、前述のとおり、外側壁１５が設けられているから、仮に注出筒１４から液だれがあっても、外側壁１５から直ちに外部にこぼれ出ないようになっている。
【００１８】
また、前記注出筒１４の内側にある開封予定部１３は、スコア１８に囲まれ、破断除去可能な部位であり、この開封予定部１３に設けたスコア引裂用タブ１９に指を掛けて引っ張ると、スコア１８を破断して開封予定部１３を除去し開封することが出来る。なお、図２中、１９ａは、スコア引裂用タブ１９に指を掛ける際のスベリ止めである。一方、開封後の主たるシールは、キャップ本体１０の注出筒１４に上蓋２０のインナーリング２３が嵌合することによりなされる。インナーリング２３の外周面２３ａが注出筒１４の内周面下部にある封止突条１４ａに当接することにより、開封後のシールがなされるようになっている。
【００１９】
前記上蓋２０は、天板２１下に外側から内側にかけて順次、側壁２２、後に詳述するシール筒２５、インナーリング２３が垂下形成され、側壁２２の一端はヒンジ３０によって開閉自在に連結され、他端には鍔部２７が設けられ、上蓋２０の開閉を容易にしている。さらに、側壁２２の内周面には前記被係止突条２４が形成され、前記キャップ本体１０の外側壁１５の係止突条１５ａに係止して、これらの協同により上蓋２０の外れを防ぐと共にゴミなどの侵入を防ぐ。
【００２０】
上蓋２０の天板２１下に設けられたシール筒２５は、前記キャップ本体１０の外側壁１５と当接して密封可能とし、外部からの流体の吸い込みを完全に防ぐものである。シール筒２５は、その下端内周縁に外面が内方且つ下方に延びる傾斜面２６ａを有する環状舌片２６が形成されている。一方、キャップ本体１０の外側壁１５にはその上面と内周面との境界が弧状面１５ｂになっている。したがって、上蓋２０をキャップ本体１０に閉栓したとき、環状舌片２６の傾斜面２６ａが外側壁１５の弧状面１５ｂを圧接し、且つ外側壁１５上面がシール筒２５下面に当接することになる。
【００２１】
このキャップ本体１０に上蓋２０を閉栓した状態で、容器２の口部３にヒンジキャップ１を嵌合固定すると、キャップ本体１０のスカート壁１２がやや外方に変位すると共に、外側壁１５が内側にやや倒れ、シール筒２５の環状舌片２６の傾斜面２６ａと圧接する外側壁１５の位置が変化するが、外側壁１５の圧接面が弧状面１５ｂになっているために圧接状態が維持され、その後の冷却水などの外部からの流体の吸い込みを完全に防ぐことが出来る。
【００２２】
また、外側壁１５上面がシール筒２５下面に当接しているので、容器２の口部３にヒンジキャップ１を打栓しても、その荷重を上蓋２０の側壁２２とシール筒２５とで受けるから、荷重を分散でき上蓋２０の側壁２２及びシール筒２５の座屈を防ぐ。また、側壁２２とシール筒２５との間の天板２１に橋絡用のリブ２８が断続的に設けられ、このリブ２８はシール筒２５を補強するため、シール筒２５の座屈をさらに防止することになる。
【００２３】
一方、上記した外側壁１５が内側にやや倒れることに伴い、その係止突条１５ａが内側にやや移動し、上蓋２０の側壁２２の被係止突条２４との係止状態が若干緩和される。したがって、容器２の口部３にキャップ本体１０を打栓する際のデメリットをメリットとし、液状内容物の高温充填に伴う減圧状態の現出にもかかわらず、シール筒２５の内方変位による反発力を利用して、より強く外側壁１５の弧状面１５ｂが環状舌片２６の傾斜面２６ａに圧接して、冷却水の吸い込みを完全に防ぐことが出来、その上、キャップ本体１０の係止突条１５ａと上蓋２０の被係止突条２４との係止状態が若干緩和される分、上蓋２０の開閉をし易くしている。
【００２４】
上述のとおり、上蓋２０のシール筒２５とキャップ本体１０の外側壁１５との圧接状態が維持されるから、これより内側には冷却水などの外部からの流体の吸い込みがないが、それより外側、すなわち、上蓋２０の閉蓋状態において、外側壁１５と当接するシール筒２５、天板２１及び側壁２２によって囲まれた空間４１には外部からの流体が入り込む可能性がある。したがって、外側の空間４１に入り込んだ水を除去するために、通常溝が設けられている。この溝４０は、上蓋２０の側壁２２に少なくとも前記被係止突条２４を切り欠いてなるものであり、その位置は前記ヒンジ３０の中心３１とその対局に位置する上蓋２０の鍔部２７の中心２７ａとを結ぶ線Ｌ１に対して対称の位置に少なくとも２個設けてあり、空間４１と外部とを通気状態に保っている。
【００２５】
これら対称の位置にある２個の溝４０により、空間４１内から水を除去、或いは乾燥消失させることが可能となることは勿論、キャップ本体１０の係止突条１５ａと上蓋２０の被係止突条２４との２個の溝４０部分の係止状態が解除される。そして、この溝４０により係止状態が解除される分、上蓋２０の開閉がし易くなると共に、上蓋２０の樹脂使用量を削減して上蓋２０の形状保持性が低下しても、上蓋２０はスムーズな開閉を維持することが出来る。
【００２６】
そして、キャップ本体１０から鍔部２７により上蓋２０を開ける際、上蓋２０の側壁２２は、前記ヒンジ３０の中心３１とその対局に位置する鍔部２７の中心２７ａとを結ぶ線Ｌ１に直交する上蓋２０の中心線Ｌ２から、この中心線Ｌ２に対して鍔部２７側に３０度までの範囲４２内の側壁２２が最も内方に変形する。すなわち、この範囲４２内がキャップ本体１０の係止突条１５ａと上蓋２０の被係止突条２４との係止状態が最も強固になることになり、この範囲４２内に溝４０の周方向中心部を位置させている。したがって、上蓋２０を開ける際、その側壁２２が最も変形する部位に存在する被係止突条２４に溝４０があるから、その部分の係止状態が解除され、上蓋２０の開閉が極めてし易くなると共に上蓋の樹脂使用量も効率よく削減出来る。
【００２７】
次に、上記構成になるヒンジキャップ１の利用方法について説明する。
まず、キャップ本体２に上蓋３を嵌めた状態のヒンジキャップ１にし、容器２内に９０℃程度の高温の液状内容物を充填し、嵌合部分１７に容器２の口部３をあてがい打栓することで、ヒンジキャップ１により容器２内を密封する（図１、２参照）。その際、打栓荷重をシール筒２５にも分散してキャップ本体１０に伝達して、上蓋２０の側壁２２座屈を防止する。これと共に、打栓によりキャップ本体１０の外側壁１５が内側に倒れ、その弧状面１５ｂが環状舌片２６の傾斜面２６ａをより強く圧接して、冷却水などの吸い込みを完全に防ぐことが出来る。
【００２８】
製品の使用に際しては、少なくともヒンジキャップ１の部分を裸出し、キャップ本体１０から上蓋２０を開ける得る状態にする。既述のとおり、キャップ本体１０の係止突条１５ａと上蓋２０の被係止突条２４との係止状態が若干緩和され、その上、溝４０により係止突条１５ａと被係止突条２４との係止状態が解除されるから、鍔部２７を手指にて押し上げれば上蓋２０をキャップ本体１０から容易に開けることができる。さらに、スコア引裂用タブ１９に手指を掛けて引っ張れば、スコア１８を破断し開封予定部１３を除去して開封出来る。そして、容器２内の液状内容物を必要量だけキャップ本体１０の注出筒１４から必要箇所に注ぎ込むことが出来る。その液状内容物を注ぎ終わった後、キャップ本体１０に上蓋２０を被せると、注出筒１４にインナーリング２３が嵌合され、且つ、上蓋２０のシール筒２５とキャップ本体１０の外側壁１５との圧接状態が維持されて、容器２内の液状内容物が漏れないように密封される。以後、容器２内の液状内容物を使い切るまで、上記した同じ動作を繰り返すことになる。
【００２９】
以上、本発明の実施例１を説明したが、具体的な構成はこれに限定されず、本発明の要旨を逸脱しない範囲での変更は適宜可能であることは理解されるべきである。
【産業上の利用可能性】
【００３０】
本発明のヒンジキャップは、容器内に高温の液状内容物を充填した後、熱水シャワー工程等の殺菌工程を施す必要性があり、そのために冷却水による冷却時に減圧状態となってしまい、冷却水を吸い込んでしまうような場合や、樹脂使用量を減らしたい場合に利用可能性が高く、特に、硬質な容器の口部にヒンジキャップを打栓する形状である場合にその利用可能性が極めて高くなる。
【図面の簡単な説明】
【００３１】
【図１】本発明の実施例１に示した実施の形態を示すヒンジキャップを容器の口部に打栓した状態の縦断面図である。
【図２】図１のヒンジキャップを９０度回転させた状態の縦断面図である。
【図３】同ヒンジキャップを開いた状態の平面図である。
【図４】同ヒンジキャップを開いた状態の縦断面図である。
【図５】同ヒンジキャップの要部の拡大縦断面図である。。
【図６】ヒンジキャップの従来例を示す平面図である。
【図７】ヒンジキャップの他の従来例を示す縦断面図である。
【符号の説明】
【００３２】
１                        ヒンジキャップ
２                        容器
３                        口部
１０，ａ                  キャップ本体
１１，ｊ                  天面
１２                      スカート壁
１３                      開口予定部
１４，ｄ                  注出筒
１４ａ                    封止突条
１５                      外側壁
１５ａ                    係止突条
１５ｂ                    弧状面
１６                      内筒
１７                      打栓部分
１８                      スコア
１９                      スコア引裂タブ
２０，ｂ                  上蓋
２１                      天板
２２                      側壁
２３                      インナーリング
２３ａ                    外周面
２４                      被係止突条
２５                      シール筒
２６                      環状舌片
２６ａ                    傾斜面
２７                      鍔部
２７ａ，３１              中心
２８                      リブ
３０，ｃ                  ヒンジ
４０                      溝
４１                      空間
４２                      範囲
ｅ                        頂板部
ｆ                        環状突起部
ｆ１                      上端平面
ｆ２                      突出部
ｇ                        スカート部
ｈ                        係止部
ｈ１                      周状凹部
ｈ２                      環状水平面
ｉ                        水排出用切欠
ｋ                        周縁
Ｌ１                      線
Ｌ２                      中心線
【図１】
2008239205.tif 000003
【図２】
2008239205.tif 000004
【図３】
2008239205.tif 000005
【図４】
2008239205.tif 000006
【図５】
2008239205.tif 000007
【図６】
2008239205.tif 000008
【図７】
2008239205.tif 000009